(57)【要約】【課題】情報伝送方法及びシステム並びにその機器を提供する。【解決手段】機器間でインタラクティブ・サービスを遂行するとき、周辺客体から獲得された情報を伝送する方法及びシステム並びにその機器が提供される。上記情報伝送方法は、電子機器と少なくとも１つの外部機器との間でインタラクティブ・サービスを遂行するとき、電子機器の周辺客体との近距離通信を介して、周辺客体に保存された第１情報を獲得する段階と、獲得された第１情報に基づいて、少なくとも１つの外部機器に伝送する第２情報を生成する段階と、インタラクティブ・サービスを介して、第２情報を少なくとも１つの外部機器に伝送する段階と、を含む。【選択図】図２Ａ
2014059873.tif 000002
【特許請求の範囲】
【請求項１】
電子機器を使用して情報を提供する方法において、
前記電子機器と少なくとも１つの外部機器とのインタラクティブ・サービスを遂行するとき、前記電子機器の周辺客体に保存された第１情報を獲得する段階と、
前記獲得された第１情報に基づき、前記少なくとも１つの外部機器に提供される第２情報を生成する段階と、
前記第２情報を前記少なくとも１つの外部機器に提供する段階と、
を含む情報提供方法。
【請求項２】
前記第１情報を獲得する段階は、前記周辺客体との近距離通信を介して、前記第１情報を獲得する段階を含むことを特徴とする請求項１に記載の情報提供方法。
【請求項３】
前記第２情報を前記少なくとも１つの外部機器に提供する段階は、前記インタラクティブ・サービスを介して、前記第２情報を前記少なくとも１つの外部機器に伝送するために、前記電子機器を使用する段階を含むことを特徴とする請求項１に記載の情報提供方法。
【請求項４】
前記第２情報を前記少なくとも１つの外部機器に提供する段階は、サーバから第２情報を得るように、前記少なくとも１つの外部機器を誘導するために、前記電子機器を利用する段階を含むことを特徴とする請求項１に記載の情報提供方法。
【請求項５】
前記第２情報を前記少なくとも１つの外部機器に提供する段階は、サーバに要請を伝送する段階を含み、
前記第２情報は、前記要請の結果として、前記少なくとも１つの外部機器に提供されることを特徴とする請求項１に記載の情報提供方法。
【請求項６】
前記第１情報は、ＵＲＬ（uniform resource locator）を含み、
前記第２情報を生成する段階は、
前記ＵＲＬにアクセスする段階と、
前記ＵＲＬを介して利用可能な情報から前記第２情報を抽出する段階と、
を含むことを特徴とする請求項１に記載の情報提供方法。
【請求項７】
前記周辺客体は、前記近距離通信に使用可能なタグを含み、
前記第１情報は、前記タグに保存された情報を含むことを特徴とする請求項２に記載の情報提供方法。
【請求項８】
前記第２情報を生成する段階は、前記第１情報から前記第２情報を抽出する段階を含むことを特徴とする請求項１に記載の情報提供方法。
【請求項９】
前記第２情報が前記インタラクティブ・サービスを介して伝送されるように、前記第２情報のデータ・フォーマットに変更する段階をさらに含むことを特徴とする請求項３に記載の情報提供方法。
【請求項１０】
前記電子機器を使用し、前記第２情報を前記少なくとも１つの外部機器に伝送した後、前記第２情報に係わる伝達状態を示すメッセージを表示する段階をさらに含むことを特徴とする請求項３に記載の情報提供方法。
【請求項１１】
前記第２情報を生成する段階は、
前記第１情報を表示する段階と、
前記表示されている前記第１情報に係わる伝送要請が受信されれば、前記第２情報を生成する段階と、
を含むことを特徴とする請求項１に記載の情報提供方法。
【請求項１２】
前記近距離通信は、
ＮＦＣ（near field communication）基盤の近距離無線通信と、
ＲＦＩＤ（radio frequency identification）基盤の近距離無線通信と、
ブルートゥース低エネルギー（ＢＬＥ）基盤の近距離無線通信と、
バーコード認識基盤技術及びＱＲ（quick response）コード認識基盤技術と、
のうち一つに基づくことを特徴とする請求項２に記載の情報提供方法。
【請求項１３】
電子機器であって、
周辺客体に保存された第１情報を獲得するように構成された情報獲得器と、
電子機器自身と少なくとも１つの外部機器とのインタラクティブ・サービスを遂行するとき、前記第１情報に基づいて生成された第２情報を前記少なくとも１つの外部機器に提供するように構成された通信インターフェースと、
情報を入出力するように構成された情報入出力インターフェースと、
前記通信インターフェースを介して、電子機器自身と前記少なくとも１つの外部機器との前記インタラクティブ・サービスが行われるとき、前記第１情報に基づき、前記第２情報を生成し、前記第２情報を前記少なくとも１つの外部機器に伝送するために、前記通信インターフェースを制御するように構成されたプロセッサと、
を含む電子機器。
【請求項１４】
前記情報獲得器は、前記周辺客体との近距離通信を介して、前記第１情報を獲得するようにさらに構成され、
前記プロセッサは、前記インタラクティブ・サービスを介して、前記第２情報を前記少なくとも１つの外部機器に伝送するために、前記通信インターフェースを制御するようにさらに構成され、
前記プロセッサは、サーバから前記第２情報を獲得するように、前記少なくとも１つの外部機器を誘導するために、前記通信インターフェースを制御するようにさらに構成されることを特徴とする請求項１３に記載の電子機器。
【請求項１５】
前記周辺客体は、前記近距離通信に使用可能なタグを含み、
前記第１情報は、前記タグに保存された情報を含むことを特徴とする請求項１４に記載の電子機器。
【発明の詳細な説明】
【技術分野】
【０００１】
本発明は、情報伝送に係り、特に、インタラクティブ・サービスを使用することができる機器間の情報伝送方法及びシステム並びにその機器に関する。
【背景技術】
【０００２】
通信技術の発達により、機器間インタラクティブ・サービスの種類が多様になっている。特に、メッセンジャー・サービス、電子メールサービス、映像通話サービス、音声通話サービス及びソーシャルネットワーク・サービス（ＳＮＳ）など多種のインタラクティブ・サービスが提供されている。
このように、インタラクティブ・サービスの種類が多様になるにつれ、インタラクティブ・サービス環境に基づいた多様なサービスが提案されている実情がある。
【発明の概要】
【発明が解決しようとする課題】
【０００３】
本発明が解決しようとする課題は、機器間にインタラクティブ・サービスを行っている間、機器の周辺客体から獲得された情報を外部機器に伝送する方法及びシステム並びにその機器を提供するところにある。
本発明が解決しようとする別の課題は、機器間にインタラクティブ・サービスを行っている間、機器の周辺客体から獲得された情報を、リアルタイムで外部機器に伝送する方法及びシステム並びにその機器を提供するところにある。
本発明が解決しようとするさらに別の課題は、機器間にインタラクティブ・サービスを行っている間、機器の周辺客体から獲得された情報を、他の通信方式を利用して外部機器に伝送する方法及びシステム並びにその機器を提供するところにある。
本発明が解決しようとするさらに別の課題は、機器間にインタラクティブ・サービスを行っている間、機器の周辺客体から獲得された情報を外部機器と共有する方法及びシステム並びにその機器を提供するところにある。
本発明が解決しようとするさらに別の課題は、機器間にインタラクティブ・サービスを行っている間、機器の周辺客体から獲得された情報を、他の通信方式を利用して外部機器と共有する方法及びシステム並びにその機器を提供するところにある。
【課題を解決するための手段】
【０００４】
前記課題を達成するための望ましい一つ以上の実施形態による、電子機器を使用する情報伝送方法において、前記方法は、少なくとも一つの外部機器と前記電子機器との間にインタラクティブ・サービスが行われるとき、前記電子機器の周辺客体に保存された第１情報を前記電子機器によって獲得する段階と、前記獲得された第１情報に基づき、前記少なくとも１つの外部機器に提供される第２情報を生成する段階と、前記第２情報を前記少なくとも１つの外部機器に提供する段階と、を含む。
【０００５】
前記第１情報を獲得する段階は、前記周辺客体との近距離通信を介して、前記第１情報を獲得する段階を含んでもよい。
前記第２情報を前記少なくとも１つの外部機器に提供する段階は、前記インタラクティブ・サービスを介して、前記少なくとも１つの外部機器に前記第２情報を伝送するために、前記電子機器を利用する段階を含んでもよい。
前記第２情報を前記少なくとも１つの外部機器に提供する段階は、サーバから前記第２情報を獲得するように、前記少なくとも１つの外部機器を誘導するために、前記電子機器を利用する段階を含んでもよい。
前記第２情報を前記少なくとも１つの外部機器に提供する段階は、サーバに要請を伝送する段階を含み、前記第２情報は、前記要請の結果として、前記少なくとも１つの外部機器に提供される。
【０００６】
前記第１情報は、ＵＲＬ（uniform resource locator）を含み、前記第２情報を生成する段階は、前記ＵＲＬにアクセスする段階と、前記ＵＲＬを介して利用可能な情報から、前記第２情報を抽出する段階と、を含んでもよい。
前記周辺客体は、前記近距離通信に使用可能なタグを含み、前記第１情報は、前記タグに保存された情報を含んでもよい。
前記第２情報を生成する段階は、前記第１情報から前記第２情報を抽出する段階を含んでもよい。
【０００７】
前記方法は、前記インタラクティブ・サービスを介して前記第２情報を伝送することができるように、第２情報のデータ・フォーマットを変更する段階をさらに含んでもよい。
前記方法は、前記電子機器を使用し、前記第２情報を前記少なくとも１つの外部機器に伝送した後、前記第２情報に係わる伝達状態を示すメッセージを表示する段階をさらに含んでもよい。
前記第２情報を生成する段階は、前記第１情報を表示する段階と、前記表示されている前記第１情報の伝送要請が受信されれば、前記第２情報を生成する段階と、を含んでもよい。
前記近距離通信は、ＮＦＣ（near field communication）基盤の近距離無線通信、ＲＦＩＤ（radio frequency identification）基盤の近距離無線通信、ブルートゥース（登録商標）低エネルギー（Bluetooth low energy）基盤の近距離無線通信、バーコード認識基盤技術及びＱＲ（quick response）コード（登録商標）認識基盤技術のうち一つに基づくものである。
【０００８】
前記課題を達成するための一つ以上の実施形態による電子機器において、前記電子機器は、周辺の客体に保存された第１情報を獲得するように構成された情報獲得器と、前記電子機器と少なくとも１つの外部機器との間で、インタラクティブ・サービスが行われるとき、前記第１情報に基づいて生成された第２情報を少なくとも１つの外部機器に提供するように構成された通信インターフェースと、情報を入出力するように構成された情報入出力インターフェースと、前記通信インターフェースを介して、前記少なくとも１つの外部機器と前記電子機器との間で前記インタラクティブ・サービスが行われているとき、前記第１情報に基づき、前記第２情報を生成し、前記第２情報が前記少なくとも１つの外部機器に提供されるように、前記通信インターフェースを制御するように構成されたプロセッサと、を含む。
【０００９】
前記課題を達成するための一つ以上の実施形態による情報伝送システムにおいて、前記情報伝送システムは、第１機器と少なくとも１つの第２機器との間で、インタラクティブ・サービスが行われるとき、周辺客体との近距離通信を介して、前記周辺客体に保存された第１情報を獲得し、前記獲得された第１情報から第２情報を生成し、前記インタラクティブ・サービスを介して、前記第２情報を前記少なくとも１つの第２機器に伝送するように構成された第１機器と、前記インタラクティブ・サービスを介して、前記第１機器から前記第２情報を受信し、前記受信された第２情報を出力するように構成された少なくとも１つの第２機器と、を含む。
【００１０】
前記課題を達成するための一つ以上の望ましい実施形態による電子機器を使用する情報伝送方法を遂行する命令語を含む一つ以上のプログラムが記録されたコンピュータで読み取り可能な記録媒体において、前記情報伝送方法は、前述の情報伝送方法のように遂行される。
【図面の簡単な説明】
【００１１】
【図１】望ましい一実施形態による情報伝送システムの構成図である。
【図２Ａ】望ましい一実施形態による、第１機器によって遂行される情報伝送方法について説明するためのフローチャートである。
【図２Ｂ】望ましい別の実施形態による、第１機器によって遂行される情報伝送方法について説明するためのフローチャートである。
【図３】望ましい一実施形態による、情報伝送方法について説明するためのフローチャートである。
【図４】望ましいさらに別の実施形態による、第１機器を使用して遂行される情報伝送方法について説明するためのフローチャートである。
【図５】望ましい一実施形態による、第１機器と第２機器との間で音声通話サービスを行うとき、第１機器上に表示される画面の例である。
【図６】望ましい別の実施形態による、第１機器と第２機器との間のメッセンジャー・サービス遂行時、第１機器上に表示される画面の例である。
【図７】望ましいさらに別の実施形態による、第１機器を使用して遂行される情報伝送方法について説明するためのフローチャートである。
【図８】望ましいさらに別の実施形態による、情報伝送方法について説明するためのフローチャートである。
【図９】望ましいさらに別の実施形態による、第１機器を使用して遂行される情報伝送方法について説明するためのフローチャートである。
【図１０】望ましいさらに別の実施形態による、情報伝送方法について説明するためのフローチャートである。
【図１１Ａ】望ましいさらに別の実施形態による、第２機器を使用して遂行される情報伝送方法について説明するためのフローチャートである。
【図１１Ｂ】望ましいさらに別の実施形態による、第２機器を使用して遂行される情報伝送方法について説明するためのフローチャートである。
【図１２】望ましいさらに別の実施形態による、第２機器を使用して遂行される情報伝送方法について説明するためのフローチャートである。
【図１３】望ましい実施形態による第１機器の例のブロック図である。
【図１４】望ましい実施形態による第１機器の別の例のブロック図である。
【図１５】図１４に図示された保存器に保存されているプログラム、及び／または命令語セットをモジュール別に分類した例である。
【図１６】望ましい実施形態による第２機器の例のブロック図である。
【発明を実施するための形態】
【００１２】
本発明は、多様な変換を加えることができ、さまざまな実施例を有することができるが、特定の望ましい実施形態について、図面に例示して詳細な説明で詳細に説明する。しかしながら、それは、本発明を特定の実施形態について限定しようとするものではなく、本発明の思想及び技術範囲に含まれる全ての変換、均等物ないし代替物を含むものであると理解されなければならない。望ましい実施形態について説明するにあたり、関連公知技術に係わる具体的な説明が、一つ以上の望ましい実施形態の要旨を不明確にすると判断される場合、その詳細な説明を省略する。
【００１３】
第１、第２のような用語は、多様な構成要素について説明するところに使用されるが、構成要素は、用語によって限定されるものではない。当該用語は、１つの構成要素を他の構成要素から区別する目的のみに使用される。
望ましい実施形態で使用した用語は、ただ特定の実施形態について説明するために使用されたものに過ぎず、望ましい実施形態を限定しようとする意図ではない。望ましい実施形態で使用した用語は、望ましい実施形態での機能を考慮しながら、可能な限り現在広く使用される一般的な用語を選択したが、それは、当分野に従事する技術者の意図、判例、または新たな技術の出現などによって異なることがある。また、特定の場合には、出願人が任意に選定した用語もあり、その場合、当該発明の説明部分で、詳細にその意味を記載する。したがって、望ましい実施形態で使用される用語は、単純な用語の名称ではなく、その用語が有する意味と、本開示の全般にわたった内容とを基に定義されなければならない。
【００１４】
単数の表現は、文脈上明白に取り立てて意味付けしない限り、複数の表現を含む。例えば、明細書全般でのコンテンツは、複数のコンテンツを含む。本出願で、「含む」または「有する」などの用語は、明細書上に記載された特徴、数、段階、動作、構成要素、部品、またはそれらを組み合わせたものが存在するということを指すものであり、一つまたはそれ以上の他の特徴や数、段階、動作、構成要素、部品、またはそれらを組み合わせたものの存在または付加の可能性をあらかじめ排除するものではないということを理解されなければならない。
【００１５】
明細書全般でのユーザの入力は、ユーザのジェスチャ（gesture）に基づくものであるが、ユーザの入力は、それに限定されるものではない。ユーザのジェスチャは、入力装置によって多様に定義されもする。
入力装置がタッチ・スクリーン基盤であるとき、ユーザのジェスチャは、例えば、タップ（tap）、タッチ・アンド・ホールド（touch and hold）、ダブルタップ（double tap）、ドラッグ（drag）、パニング（panning）、フリック（flick）、ドラッグ・アンド・ドロップ（drag and drop）及びスウィープ（sweep）のうち少なくとも一つを含んでもよいが、ユーザ・ジェスチャは、それらに限定されるものではない。タッチ・スクリーン基盤のユーザのジェスチャは、例えば、ユーザの指またはタッチ道具（例えば、スタイラスペン（stylus pen））を利用して遂行されもする。
【００１６】
入力装置がモーション・センサ基盤であるとき、ユーザの入力は、機器の動きを発生させるユーザ・ジェスチャ（例えば、機器振り、機器タッピング、及び／または任意の他の適切な機器モーション）に基づくものである。モーション・センサは、加速度センサ、地磁気センサ、ジャイロセンサ及び方向（orientation）センサのうち少なくとも一つを含んでもよい。
入力装置がカメラ基盤であるとき、ユーザのジェスチャは、カメラを利用して撮影された映像基盤の空間ジェスチャを含んでもよい。カメラは、イメージセンサ基盤、及び／または光センサ基盤で構成されもする。
【００１７】
入力装置が、物理的ボタン、ダイヤル、スライダ・スイッチ、ジョイスティック、クリックホイール、及び／または任意の他の適切な入力を提供することができるメカニズムを含むとき、ユーザの入力は、入力装置に係わるユーザの物理的な制御に基づくものである。入力装置が、オーディオ入力装置基盤であるとき、ユーザの入力は、話し言葉（spoken language）基盤のユーザの音声認識に基づくものである。
以下、望ましい実施形態を、添付図面を参照して、詳細に説明し、添付図面を参照して説明するにあたり、同一のまたは対応する構成要素は、同一の図面番号を付し、それに係わる重複説明は省略する。
【００１８】
図１は、望ましい一実施形態による情報伝送システム１００の構成図である。
図１を参照すれば、情報伝送システム１００は、第１機器１１０、客体１２０、第２機器１３０、サーバ１４０及びネットワーク１５０を含むが、それらに限定されるものではない。特に、情報伝送システム１００は、図１に図示された構成要素より少ない構成要素を含んだり、あるいは図１に図示された構成要素より多くの構成要素を含んだりしてもよい。
例えば、情報伝送システム１００は、客体１２０を複数個含んでもよい。情報伝送システム１００は、第２機器１３０を複数個含んでもよい。情報伝送システム１００は、サーバ１４０を複数個含んでもよい。情報伝送システム１００は、サーバ１４０を含まないこともある。情報伝送システム１００がサーバ１４０を含んでいない場合、客体１２０とネットワーク１５０との間の点線は削除されもする。
【００１９】
第１機器１１０は、電子機器であるとも言うことができ、第２機器１３０は、第１機器１１０が情報を伝送する外部機器であると言うことができる。客体１２０は、第１機器１１０の周辺の客体、外部客体または近距離通信モジュールと言うことができる。
第１機器１１０は、ネットワーク１５０を介して、第２機器１３０とインタラクティブ・サービスを行っている間、近距離通信を介して、客体１２０に保存された情報を獲得することができる。インタラクティブ・サービスは、例えば、メッセンジャー・サービス（messenger service）、電子メールサービス（ｅ−mail service）、映像通話サービス、音声通話サービス及びソーシャルネットワーク・サービス（social network service）のような双方向通信サービスを意味するが、それらに限定されるものではない。
【００２０】
客体１２０は、近距離通信を介して、第１機器１１０によって獲得される情報を保存することができる。客体１２０に保存される情報は、オーディオ、ビデオ及びテキストのうち少なくとも一つを、デジタル信号形式で生成した情報であってもよい。客体１２０は、生活全般で収集される情報、及び／または収集される情報のメタデータ（meta-data）を保存することができる。情報のメタデータは、生活全般で収集される情報にアクセスすることができる情報を含んでもよい。例えば、メタデータは、公演情報にアクセスすることができるホームページのＵＲＬ（uniform resource locator）を含んでもよいが、それに限定されるものではない。
【００２１】
客体１２０に保存される情報は、例えば、公演情報（例えば、公演場所、公演位置、前売り場所、前売り価格、及び／または公演についての任意の他の情報タイプ）、商品情報（例えば、規格情報または成分情報、及び／または商品についての任意の他の情報タイプ）、商店情報（例えば、商店位置情報、販売製品情報、メニュー情報、及び／または商店についての任意の他の情報タイプ）、名刺情報、ポスター情報（例えば、詳細情報提供サイトのＵＲＬ、要約情報、及び／または任意の他の適切なポスター情報タイプ）、電話番号情報、住所情報、地域情報（例えば、特産品情報、文化財情報、詳細情報提供サイトのＵＲＬ、及び／または隣近についての任意の他の適切な情報タイプ）、広告情報（例えば、後援者情報、関連媒体情報、及び／または広告についての任意の適切な情報タイプ）、サンプル音源情報、映画予告情報（例えば、梗概（synopsis）、及び／または映画予告についての任意の他の適切な情報タイプ）などを含んでもよいが、それらに限定されるものではない。
【００２２】
客体１２０に保存される情報は、状況認知情報（context-aware information）またはコンテンツ（content）であるとも言うことができる。例えば、客体１２０に保存される情報が商店情報であるとき、情報を受信する機器のユーザは、情報を送信する機器のユーザの現在位置が分かるので、客体１２０に保存された情報を状況認知情報であるとも言うことができる。また、客体１２０に保存された情報が映画の梗概であるとき、保存された情報をテキスト基盤のコンテンツであるとも言うことができる。
客体１２０に保存された情報の量が、第１機器１１０と客体１２０との間で伝送される情報の量より多い場合、客体１２０は、第１機器１１０にメタデータだけ伝送することができる。客体１２０に保存された情報量が、第１機器１１０と客体１２０との間で伝送される情報量より多いか否かということは、第１機器１１０と客体１２０との通信リンクに係わる情報伝送速度に基づいて判断されもする。
【００２３】
客体１２０は、ＮＦＣ（near field communication）基盤、ＲＦＩＤ（radio frequency identification）基盤、またはブルートゥース低エネルギー（ＢＬＥ：Bluetooth low energy）基盤の近距離通信モジュールを含むように構成されるが、近距離通信モードは、それらに限定されるものではない。
客体１２０は、ＮＦＣ基盤、またはＲＦＩＤ基盤の近距離通信モジュールを含む場合、タグ形態に構成されもする。客体１２０は、ブルートゥース低エネルギー（ＢＬＥ）基盤の近距離通信モジュールを含む場合、ブルートゥース基盤で保存された情報をブロードキャスト（broadcast）するように構成されもする。前述のように客体１２０が構成される場合、客体１２０と第１機器１１０との通信サービスは、近距離無線通信サービスであるとも言うことができる。
【００２４】
客体１２０は、例えば、バーコード（barcode）またはＱＲ（quick response）コードのようなコードを利用する近距離ビジュアル・コミュニケーション（visual communication）基盤で構成されもする。近距離ビジュアル・コミュニケーションとは、視覚情報（例えば、イメージ、本、資料、及び／または任意の適切な視覚情報）を近距離で無線で獲得することについてのものである。近距離は、情報を視覚的に認識することができる距離範囲である。
例えば、近距離ビジュアル・コミュニケーションは、カメラを利用して、所定の距離内から視覚情報をキャプチャして情報を獲得する方式、またはレーザを視覚情報に投映し、反射される光の量で情報を獲得する方式を含んでもよいが、それらに限定されるものではない。前述の所定の距離は、情報を視覚的に認識することができる近距離であり、例えば、約７ｃｍ〜約１０ｃｍにもなるが、それに限定されるものではない。
【００２５】
客体１２０が近距離ビジュアル・コミュニケーション基盤で構成された場合、客体１２０は、バーコードまたはＱＲコードで構成されたり、あるいはバーコードまたはＱＲコードのディスプレイ・モジュールで構成されたりもする。客体１２０は、電子的な構成要素を含まないバーコードもしくはＱＲコード、またはコードで代替される。かような場合に、客体１２０は、コード、バーコードまたはＱＲコードであるとも言うことができる。
客体１２０がバーコードまたはＱＲコードで代替される場合、第１機器１１０は、バーコード・スキャナまたはＱＲコード・スキャナに相応するアプリケーションを実行し、バーコードまたはＱＲコードの情報を獲得することができる。このように、客体１２０がバーコードまたはＱＲコードで代替される場合、第１機器１１０による近距離通信に基づいた周辺情報獲得は、コード認識技術に基づいた周辺情報獲得であるとも言うことができる。
【００２６】
客体１２０がバーコードまたはＱＲコードのディスプレイ・モジュールで構成された場合、第１機器１１０は、前述のように、バーコード・スキャナまたはＱＲコード・スキャナに相応するアプリケーションを実行し、バーコード情報またはＱＲコード情報を獲得したり、あるいは前述のディスプレイ・モジュールに含まれた通信モジュールから、バーコード情報またはＱＲコード情報を受信したりすることができる。前記ディスプレイ・モジュールに含まれた通信モジュールは、例えば、ブルートゥースのような近距離無線通信基盤で構成されもするが、それに限定されるものではない。
【００２７】
客体１２０がＮＦＣ基盤またはＲＦＩＤ基盤の通信モジュールを含む場合、第１機器１１０は、ＮＦＣ基盤の近距離無線通信機能、及び／またはＲＦＩＤ基盤の近距離無線通信機能を利用して、客体１２０から情報を獲得することができる。客体１２０がＢＬＥ基盤通信モジュールを含むように構成される場合、第１機器１１０は、ＢＬＥ基盤でブロードキャストされた信号を受信するブルートゥース通信機能を利用して、客体１２０から情報を獲得することができる。
【００２８】
ネットワーク１５０は、有線ネットワーク、及び／または無線ネットワークを含む。例えば、ネットワーク１５０は、一つ以上の無線インターネット、無線イントラネット、無線電話ネットワーク、無線ＬＡＮ（local area network）通信、Ｗｉ−Ｆｉ（wireless fidelity）通信、３Ｇ（generation）通信、４Ｇ（generation）ＬＴＥ（long term evolution）通信、ＵＷＢ（ultra wideband）通信、Ｚｉｇｂｅｅ（登録商標）通信のような無線通信ネットワーク、または有線インターネットのような有線通信ネットワークで構成されもするが、それらに限定されるものではない。
【００２９】
サーバ１４０は、ネットワーク１５０を介して、第１機器１１０及び第２機器１３０とデータを送受信することができる。特に、サーバ１４０は、第１機器１１０または第２機器１３０から、メタデータに基づいた原情報（original information）に係わる要請が受信されれば、原情報を、第１機器１１０、及び／または第２機器１３０に提供することができる。第１機器１１０が客体１２０からメタデータを獲得した場合、サーバ１４０は、第１機器１１０と第２機器１３０とからメタデータに基づいた原情報に係わる要請を受信することができる。サーバ１４０は、情報提供サーバまたはクラウドサーバであるとも言うことができる。
客体１２０に保存されている情報は、状況によって、ネットワーク１５０を介してサーバ１４０から提供された情報であってもよい。かような場合、客体１２０は、第１機器１１０との近距離通信機能と、ネットワーク１５０を介したサーバ１４０との通信機能と、を含んでもよい。
【００３０】
第１機器１１０は、客体１２０から獲得された情報を、ネットワーク１５０を介して第２機器１３０に伝送する。かような場合、第１機器１１０は、情報送信機器であるとも言うことができ、第２機器１３０は、情報受信機器であるとも言うことができる。
第１機器１１０は、客体１２０から獲得された情報のセキュリティ・レベルと、第２機器１２０のセキュリティ・レベルとに基づいた前述の獲得された情報を、第２機器１３０に伝送するか否かを決定することができる。それのために、客体１２０は、保存された情報に係わるセキュリティ・レベル情報をさらに保存し、第２機器１３０は、第２機器１３０についてのセキュリティ・レベル情報を、第１機器１１０とインタラクティブ・サービスを行っている間、第１機器１１０に提供することができる。しかしながら、客体１２０に保存された情報に係わるセキュリティ・レベル情報と、第２機器１３０についてのセキュリティ・レベル情報との第１機器１１０への伝送は、前述のところに限定されるものではない。
【００３１】
客体１２０から獲得された情報は、第１機器１１０と第２機器１３０とのインタラクティブ・サービスを利用して伝送されもする。しかしながら、客体１２０から獲得された情報は、第１機器１１０と第２機器１３０とのインタラクティブ・サービスに連動される伝送方式を使用して伝送されもする。インタラクティブ・サービスに連動される伝送方式は、第１機器１１０と第２機器１３０とのインタラクティブ・サービスを妨害せずに、並列で動作しながら、獲得された情報を第２機器１３０に伝送することができる通信方式を含んでもよい。
【００３２】
インタラクティブ・サービスに連動される伝送方式は、第１機器１１０と第２機器１３０とのインタラクティブ・サービスのタイプと獲得された情報のタイプに基づいて決定されもする。例えば、第１機器１１０と第２機器１３０とのインタラクティブ・サービスが音声通話サービスであり、獲得された情報のタイプが、テキスト、イメージ及びオーディオのうち少なくとも一つである場合、連動される伝送方式は、ＳＭＳ（short message service）／ＭＭＳ（multi-mode service）サービスであってもよいが、それらに限定されるものではない。このように、連動される伝送方式は、第１機器１１０と第２機器１３０とのインタラクティブ・サービスのタイプに基づいた通信方式と異なる通信方式にもなる。
【００３３】
第１機器１１０と第２機器１３０とのインタラクティブ・サービスが、メッセンジャー・サービスであるチャットオン（Chaton）であり、獲得された情報のタイプが、テキスト、イメージ及びオーディオのうち少なくとも一つである場合、インタラクティブ・サービスに連動される伝送方式は、チャットオンであってもよい。このように、連動される伝送方式は、第１機器１１０と第２機器１３０とのインタラクティブ・サービスを利用することができる。第１機器１１０は、客体１２０と近距離通信を行うことができ、ネットワーク１５０を介して、第２機器１３０、及び／またはサーバ１４０と通信することができる機器を含んでもよい。
【００３４】
第１機器１１０は、客体１２０から獲得された情報から、第２機器１３０に伝送する情報を生成することができる。獲得された情報を第１情報であるとも言うことができ、第２機器１３０に伝送する情報を第２情報であるとも言うことができる場合、第１機器１１０は、第１情報に基づいて、第２情報を抽出することができる。
例えば、第１情報が、原情報と、原情報に係わるメタデータとを含む場合、第２情報は、原情報に係わるメタデータを含んでもよい。第１情報が、原情報とセキュリティ・レベル情報とを含むとき、第２情報は、原情報を含んでもよい。
【００３５】
第１機器１１０は、第１情報から、かつ／または第１情報に基づいて第２情報を抽出するために使用される基準情報を設定することができる。前記基準情報は、第１機器１１０のユーザによって設定されもする。前記基準情報は、事前に第１機器１１０に設定されもする。前記基準情報は、例えば、データ容量情報を含んでもよいが、それに限定されるものではない。例えば、前記基準情報が所定のデータ容量情報であり、第１情報のデータ量が、前記所定のデータ容量情報より多ければ、第１機器１１０は、第１情報のデータ量より少ないデータ量を有する第２情報を抽出することができる。第１情報のデータ量より少ないデータ量を有する第２情報を抽出するために、第１機器１１０は、第１情報に含まれ、かつ／または第１情報によって参照されるデータの種類（例えば、イメージ、テキスト及び／または音楽、及び／または任意の他の適切なデータタイプ）によって決定された優先順位情報を利用するように構成されもするが、それに限定されるものではない。
【００３６】
第２情報のデータ・フォーマットは、第１機器１１０から第２機器１３０への伝送方式に基づいて変更されもする。例えば、第１情報がテキスト形態であり、インタラクティブ・サービスが音声通話サービスであり、前述のインタラクティブ・サービスに連動される伝送方式が音声通話サービスである場合、第１機器１１０は、テキスト形態である第１情報から音声信号に変換することができる第２情報を抽出し、抽出された第２情報を音声信号に変換し、音声通話サービスを利用して、変換された音声信号を第２機器１３０に伝送することができる。
【００３７】
第１情報がイメージ・ファイルであり、第１機器１１０と第２機器１３０とのインタラクティブ・サービスがメッセンジャー・サービスである場合、第１機器１１０は、第１情報から抽出され、かつ／または第１情報に基づく第２情報を、メッセンジャー・サービスでサポートされるイメージ・フォーマットに変換することができる。かような場合、第１情報と第２情報は、同一であってもよい。さらに、第１情報がメタデータであるならば、第１情報と第２情報は、同一であってもよい。
【００３８】
第１情報がイメージ・ファイルであり、第１機器１１０と第２機器１３０とのインタラクティブ・サービスが音声通話サービスである場合、第１情報、及び／または第１情報に基づいて抽出された第２情報は、第１情報について説明する情報であってもよい。第１情報について説明する情報は、例えば、第１情報のタイプについての情報（例えば、第１情報のデータ・フォーマット（image、text、music、及び／または任意の適切なデータ・フォーマット）についての情報）、第１情報に含まれた客体名、イメージを獲得した場所情報、及び／または日付情報などを含んでもよいが、それらに限定されるものではない。第１情報について説明する第２情報は、音声信号に変換され、第２機器１３０に伝送されもする。
【００３９】
第１機器１１０及び第２機器１３０のそれぞれは、例えば、スマートフォン（smart phone）、ノート型パソコン、タブレット（tablet）ＰＣ（personal computer）、移動端末（mobile device）、ハンドヘルド（handheld）機器またはハンドヘルドＰＣ、通信機能を有する電子ブック端末機、通信機能を有するスマートＴＶ（television）、通信機能を有するナビゲーション、通信機能を有するＣＥ（consumer electronics）機器（例えば、通信機能を有する冷蔵庫、通信機能を有するエアコン、及び／または通信機能を有する任意の他の適切なＣＥ機器）、及び／またはＰＤＡ（personal digital assistant）のうち一つ以上を含むが、それらに限定されるものではない。第１機器１１０と第２機器１３０は、前述のように通信機能を有しているので、通信機器として使用されもする。
【００４０】
第２機器１３０は、ネットワーク１５０を介して、第１機器１１０、及び／またはサーバ１４０と通信することができる機器である。特に、第２機器１３０は、第１機器１１０とインタラクティブ・サービスを遂行することができる。第２機器１３０は、第１機器１１０と同一の種類の機器であってもよいが、互いに異なる種類の機器であってもよい。例えば、第１機器１１０と第２機器１３０は、いずれもスマートフォンであってもよい。しかしながら、第１機器１１０が、スマートフォンであり、第２機器１３０が、タブレットＰＣであったり、あるいは第１機器１１０が、タブレットＰＣであり、第２機器１３０が、スマートフォンであったりしてもよい。第２機器１３０は、第１機器１１０の外部機器、及び／または補助機器であるとも言うことができ、第１機器１１０は、第２機器１３０の外部機器、及び／または補助機器であるとも言うことができる。
【００４１】
一方、第１機器１１０は、ホームスクリーン（home screen）・モードで、客体１２０から獲得された情報に基づいて、関連アプリケーションを自動的に実行し、客体１２０から獲得された情報を、関連アプリケーションに挿入することができる。かような場合、第１機器１１０は、関連アプリケーションを利用して、ネットワーク１５０を介して、第２機器１３０と接続されれば、獲得された情報を、第２機器１３０に伝送することができる。このとき、アプリケーションは、前述のネットワーク１５０基盤で、情報を伝送するために使用されるアプリケーションを含む。例えば、関連アプリケーションは、メッセンジャー・サービスであってもよい。
【００４２】
関連アプリケーションは、Ｍ２Ｍ（machine to machine）基盤、Ｐ２Ｐ（pear to pear）基盤またはＤ２Ｄ基盤のネットワークに情報を伝送することができるアプリケーション（例えば、情報共有アプリケーション）でもある。Ｍ２Ｍ基盤、Ｐ２Ｐ基盤またはＤ２Ｄ（ＤｅｖｉｃｅｔｏＤｅｖｉｃｅ）基盤のネットワークは、例えば、Ｗｉ−Ｆｉダイレクト（ＷＦＤ：Ｗｉ−Ｆｉ direct）通信ネットワーク、ブルートゥース通信ネットワーク、赤外線通信（ＩｒＤＡ：infrared data association）ネットワーク及びＲＦＩＤ通信ネットワークのうち一つ以上を含んでもよい。
【００４３】
図２Ａは、望ましい一実施形態による、第１機器１１０を使用して遂行される情報伝送方法の動作フローチャートである。図２Ａは、客体１２０から獲得された情報を、第１機器１１０と第２機器１３０とのインタラクティブ・サービスを介して伝送する場合である。
段階Ｓ２０１で、第１機器１１０と第２機器１３０との間でインタラクティブ・サービスを行っている間、段階Ｓ２０２で、第１機器１１０は、近距離無線通信に基づいて、客体１２０から第１情報を獲得する。第１機器１１０と第２機器１３０とのインタラクティブ・サービスは、図１で述べられたサービス方式のうち一つであり、第１情報の獲得方式は、前述の図１で説明された情報獲得方式のうち一つ以上でもある。
【００４４】
例えば、段階Ｓ２０１で、第１機器１１０と第２機器１３０との間で、音声通話サービスを行っているとき、段階Ｓ２０２で、ＮＦＣコンタクトによって、第１機器１１０は、客体１２０に保存された第１情報を獲得することができる。客体１２０と第１機器１１０との距離がＮＦＣ通信半径内であるならば、ＮＦＣコンタクトが生じる。
インタラクティブ・サービスは、近距離通信基盤で遂行されないこともある。したがって、インタラクティブ・サービスは、近距離通信ではない通信を基に遂行されるサービスであるとも言うことができる。
【００４５】
段階Ｓ２０３で、第１機器１１０は、第１情報から、かつ／または第１情報に基づいて、第２機器１３０に伝送する第２情報を生成する。第１情報から、かつ／または第１情報に基づいて第２情報を生成することは、図１で説明した通りである。したがって、第１情報と第２情報は、互いに異なる情報であってもよいが、同一の情報であってもよい。段階Ｓ２０３で、第１機器１１０は、第１情報から、かつ／または第１情報に基づいて、第２情報を抽出する段階を含むとも言うことができる。第１情報からの第２情報抽出は、図１で説明した通りである。
段階Ｓ２０３は、第１情報を第１機器１１０に表示し、第１機器１１０に表示されている第１情報に係わる伝送要請への応答、及び／または伝送要請の結果として、第２情報を生成する段階を含むと再定義されもする。
【００４６】
段階Ｓ２０４で、第１機器１１０は、インタラクティブ・サービスを介して、段階Ｓ２０３で生成された第２情報を第２機器１３０に伝送する。
図２Ａは、第１機器１１０で、段階Ｓ２０４を遂行する前（すなわち、生成された第２情報を第２機器１３０に伝送する前）に、第２情報を、インタラクティブ・サービスを介して、伝送することができるデータ・フォーマットに変更する段階をさらに含むように変形されもする。例えば、インタラクティブ・サービスがメッセンジャー・サービスであり、第２情報がメッセンジャー・サービスで伝送することができないデータ・フォーマットを有する場合、第１機器１１０は、第２情報をメッセンジャー・サービスで伝送することができるデータ・フォーマットに変更することができる。
【００４７】
一方、インタラクティブ・サービスがメッセンジャー・サービスであり、第２情報が、メッセンジャー・サービスで伝送することができるデータ・フォーマットを有する場合、第１機器１１０は、第２情報に係わるフォーマット変更を遂行しないこともある。しかしながら、第２情報のデータ・フォーマットがインタラクティブ・サービスで伝送することができるが、第２情報の容量が、インタラクティブ・サービスで伝送することができる最大情報容量より多い場合、第１機器１１０は、第２情報を圧縮し、圧縮された第２情報を第２機器１３０に伝送することができる。
また、図２Ａは、第１機器１１０から第２情報を第２機器１３０に伝送した後、第２情報に係わる伝達状態を示すメッセージを、第１機器１１０上に表示する段階をさらに含むように変形されもする。
【００４８】
図２Ｂは、望ましい別の実施形態による、第１機器１１０を使用して遂行される情報伝送方法の動作フローチャートである。図２Ｂは、第１機器１１０から、客体１２０から獲得された情報を、インタラクティブ・サービスに連動される伝送方式を利用して、第２機器１３０に伝送する場合である。
段階Ｓ２０５で、第１機器１１０と第２機器１３０との間でインタラクティブ・サービスを遂行し、段階Ｓ２０６で、第１機器１１０は、近距離無線通信に基づいて、客体１２０から第１情報を獲得する。第１機器１１０と第２機器１３０とのインタラクティブ・サービスは、図１で説明したサービス方式のうち一つ以上であり、第１情報の獲得方式は、図１で説明した情報獲得方式のうち一つ以上でもある。
【００４９】
段階Ｓ２０７で、第１機器１１０は、第１情報から、かつ／または第１情報に基づいて、第２機器１３０に伝送する第２情報を生成する。第１情報から、かつ／または第１情報に基づいて第２情報を生成することは、図１で説明した通りである。段階Ｓ２０７で、第１機器１１０は、第１情報から、かつ／または第１情報に基づいて第２情報を抽出する段階を含むとも言うことができる。段階Ｓ２０７で、第１機器１１０は、第１情報を表示し、第１機器１１０に表示されている第１情報に係わる伝送要請に応答し、かつ／または伝送要請の結果として、第２情報を生成する段階を含むと定義されもする。
【００５０】
段階Ｓ２０８で、第１機器１１０は、インタラクティブ・サービスに連動される伝送方式で、段階Ｓ２０７で生成された第２情報を第２機器１３０に伝送する。
連動される伝送方式は、図１と言及されたように獲得された情報のタイプ（または、データ・フォーマット）及び通信方式に基づいて決定されもするが、事前に設定されもする。例えば、インタラクティブ・サービスが音声通話サービスであるとき、インタラクティブ・サービスに連動される伝送方式を、ＳＭＳ／ＭＭＳで事前に設定した場合、第１機器１１０と第２機器１３０との通信が音声通話サービスであるならば、第１機器１１０は、ＳＭＳ／ＭＭＳ方式で、第２情報を第２機器１３０に伝送する。
【００５１】
第１機器１１０は、連動される伝送方式で、第２情報を伝送するとき、連動される伝送方式に基づいて、第２情報のデータ・フォーマットを変換することができる。例えば、ＮＦＣコンタクトによって獲得された第１情報から、かつ／または第１情報に基づいて生成された第２情報を、ＳＭＳ／ＭＭＳ方式で伝送する場合、第１機器１１０は、第２情報をＳＭＳ／ＭＭＳ方式で伝送することができるデータ・フォーマットに変換して伝送する。ＮＦＣコンタクトによって獲得された第１情報から、かつ／または第１情報に基づいて生成された第２情報を、メッセンジャー方式で伝送する場合、第２情報をメッセンジャー方式で伝送することができるデータ・フォーマットに変換して伝送する。ＮＦＣコンタクトによって獲得された第１情報から生成された第２情報を、ＳＮＳ／電子メール方式で伝送する場合、第２情報を、ＳＮＳ／電子メール方式で伝送することができるデータ・フォーマットに変換して伝送する。
段階Ｓ２０８で、第１機器１１０は、図１で説明したように獲得された第１情報に係わるセキュリティ・レベル情報と、第２機器１２０についてのセキュリティ・レベル情報とに基づいて、獲得された第１情報の伝送いかんを決定することができる。
【００５２】
図３は、望ましい一実施形態による情報伝送方法について説明するためのフローチャートである。図３は、第１機器１１０が、図２Ｂに図示されたフローチャートのように動作する場合、第１機器１１０、客体１２０及び第２機器１３０の間の動作フローチャートについて説明するための図面である。
段階Ｓ３０１で、第１機器１１０と第２機器１３０とがインタラクティブ・サービスを遂行し、段階Ｓ３０２及びＳ３０３で、第１機器１１０は、近距離無線通信に基づいて、客体１２０から第１情報を獲得する。獲得された第１情報は、図１で説明したように、生活全般で収集される情報、及び／または生活全般で収集される情報に係わるメタデータである。
段階Ｓ３０４で、第１機器１１０は、第１情報から、かつ／または第１情報に基づいて第２情報を生成する。第１情報から、かつ／または第１情報に基づいて第２情報を生成することは、図２Ｂで説明した通りである。
【００５３】
段階Ｓ３０５で、第１機器１１０は、インタラクティブ・サービスに連動される伝送方式を利用して生成された第２情報を、第２機器１３０に伝送する。連動される伝送方式は、通信方式に基づいて、事前に設定されもする。例えば、音声通話サービスについて、ＳＭＳ／ＭＭＳを、連動される伝送方式で、事前に設定することができるが、それに限定されるものではない。したがって、第１機器１１０と第２機器１３０との間で現在遂行されるインタラクティブ・サービスが、音声通話サービスである場合、第１機器１１０は、事前に設定された連動される伝送方式であるＳＭＳ／ＭＭＳ方式で生成された第２情報を、第２機器１３０に伝送する。このとき、第１機器１１０は、第２情報のデータ・フォーマットを、ＳＭＳ／ＭＭＳを介して伝送されるデータ・フォーマットに変更することができる。
段階Ｓ３０６で、第２機器１３０は、段階Ｓ３０１でのインタラクティブ・サービスと連動される伝送方式（例えば、ＳＭＳ／ＭＭＳ方式）に基づいて受信された第２情報を表示する。
【００５４】
図４は、望ましい別の実施形態による、第１機器１１０を使用して遂行される情報伝送方法について説明するフローチャートである。図４は、第１機器１１０で獲得された第１情報と連動される伝送方式に基づいたユーザの伝送要請に応答し、かつ／または伝送要請の結果として、第２情報を第２機器１２０に伝送する場合である。
段階Ｓ４０１で、第１機器１１０は、第２機器１３０とインタラクティブ・サービスを遂行する。例えば、図５を参照すれば、第１機器１１０と第２機器１３０とのインタラクティブ・サービスが音声通話サービスであるとき、段階Ｓ４０１で、第１機器１１０は、図５に図示された画面５１０を表示する。図５は、第１機器１１０と第２機器１３０とのインタラクティブ・サービスが音声通話サービスであるとき、第１機器１１０での画面の例である。
【００５５】
段階Ｓ４０２で、第１機器１１０は、客体１２０から第１情報を獲得する。第１情報の獲得方式は、図１で説明したように、客体１２０に基づいて決定される。
段階Ｓ４０３で、第１機器１１０は、獲得された第１情報と、インタラクティブ・サービスに連動される伝送方式情報とを表示する。獲得された第１情報と、インタラクティブ・サービスに連動される伝送方式情報は、図５の画面５２０に図示されたように、ポップアップ・ウィンドー５２２に表示されもするが、それに限定されるものではない。例えば、獲得された第１情報と、インタラクティブ・サービスに連動される伝送方式情報は、第１機器１１０の空き表示領域に独立したウィンドーに表示されもする。インタラクティブ・サービスに連動される伝送方式情報は、複数個が表示されもする。
【００５６】
段階Ｓ４０４で、情報伝送要請を示すユーザの入力が受信されれば、第１機器１１０は、段階Ｓ４０５で、第１情報から、かつ／または第１情報に基づいて第２情報を生成する。第１情報から、かつ／または第１情報に基づいて第２情報を生成することは、図２Ｂの段階Ｓ２０７で説明したように遂行される。情報伝送要請を示すユーザの入力は、段階Ｓ４０３で表示されている情報を基に受信される。例えば、段階Ｓ４０３で、表示されている情報が図５の画面５２０のようなとき、「ＳＭＳで伝達」メッセージを選択するユーザの入力が受信されれば、第１機器１１０は、情報伝送要請を示すユーザの入力が受信されたと認識する。
【００５７】
複数個のインタラクティブ・サービスに連動される伝送方式についての情報が表示されるとき、第１機器１１０は、選択を示すユーザの入力が受信されれば、選択された伝送方式での情報伝送要請を受信したと認識することができる。図５の画面５２０の場合、「ＳＭＳで伝達」メッセージが選択されれば、第１機器１１０は、第１情報から、かつ／または第１情報に基づいて第２情報を生成する。
段階Ｓ４０６で、第１機器１１０は、インタラクティブ・サービスに連動される伝送方式で、第２情報を第２機器１３０に伝送する。第２機器１３０への第２情報の伝送は、伝送完了を示すポップアップ・ウィンドー５３１を含む図５の画面５３０のように表示される。
【００５８】
図６は、望ましい別の実施形態により、第１機器１１０と第２機器１３０とのインタラクティブ・サービスがメッセンジャー・サービスである場合の第１機器１１０での画面の例である。
図６を参照すれば、段階Ｓ４０１で、第１機器１１０が画面６１０を表示しているとき、第１機器１１０によって、客体１２０から第１情報を獲得すれば、第１機器１１０に表示されている画面６１０は、画面６２０に自動的に変更される。
【００５９】
変更された画面６２０から、「入力」を選択するユーザの入力が受信されれば、第１機器１１０は、情報伝送要請を示すユーザの入力が受信されたと認識する。図６の画面６２０に含まれたポップアップ・ウィンドー６２１に、インタラクティブ・サービスに連動される伝送方式情報ではない「入力」メッセージ６２２が含まれたのは、インタラクティブ・サービスに連動される伝送方式が、第１機器１１０と第２機器１３０とのインタラクティブ・サービスと同一の伝送方式だからである。しかしながら、インタラクティブ・サービスに連動される伝送方式が、インタラクティブ・サービスと同一である場合、第１機器１１０に表示されるメッセージは、「入力」に限定されるものではない。
【００６０】
図７は、望ましいさらに別の実施形態による、情報伝送方法での、１機器１１０での動作について説明するためのフローチャートである。図７は、図４の動作フローチャートに、伝達状態を示すメッセージを、第１機器１１０に表示する機能を追加した場合である。
段階Ｓ７０１で、第１機器１１０は、第２機器１３０と、インタラクティブ・サービスを遂行する。第１機器１１０と第２機器１３０とのインタラクティブ・サービスが、音声通話サービスである場合、段階Ｓ７０１で第１機器１１０は、図５に図示された画面５１０を表示する。
段階Ｓ７０２で、第１機器１１０は、客体１２０から第１情報を獲得する。第１情報の獲得方式は、客体１２０に基づいて決定される。
【００６１】
段階Ｓ７０３で、第１機器１１０は、獲得された第１情報と、インタラクティブ・サービスに連動される伝送方式情報とを表示する。獲得された第１情報と、インタラクティブ・サービスに連動される伝送方式情報は、図５の画面５２０に図示されたように、ポップアップ・ウィンドー５２２に表示されもするが、それに限定されるものではない。
段階Ｓ７０４で、情報伝送要請を示すユーザの入力を受信し、第１機器１１０は、段階Ｓ７０５で、第１情報から、かつ／または第１情報に基づいて第２情報を生成する。第１情報からの第２情報生成は、図２Ｂの段階Ｓ２０７で説明した通りである。情報伝送要請を示すユーザの入力は、図４で説明したように、図５の画面５２０で説明されたように、「ＳＭＳで伝達」メッセージを選択するユーザの入力、及び／または図６の画面６２０で説明されたように、「入力」メッセージを選択するユーザの入力に基づいて認識される。
【００６２】
段階Ｓ７０６で、第１機器１１０は、インタラクティブ・サービスに連動される伝送方式で、第２情報を第２機器１３０に伝送する。段階Ｓ７０６で、第２情報を第２機器１３０に伝送することは、図２Ｂの段階Ｓ２０８のように遂行されもする。
段階Ｓ７０６で、第２情報を第２機器１３０に伝送する動作が完了すれば、段階Ｓ７０７で、第１機器１１０は、伝達状態を示すメッセージを表示する。例えば、第１機器１１０は、図５の画面５３０のように、「伝送されました」メッセージをポップアップ・ウィンドー５３１に表示したり、あるいは図６の画面６３０のように、スピーチバブル４３１に第２情報を含めた形態で表示したりすることができる。図５の画面５３０のように、伝達状態を示すメッセージを表示する場合、第１機器１１０は、第２機器１３０との通信が終わるまで、または伝達状態を示すメッセージに係わるユーザの表示終了要請が受信されるまで、一定時間間隔で、前述のメッセージをブリンク（blink）することができる。
【００６３】
図８は、望ましいさらに別の実施形態による、情報伝送方法について説明するためのフローチャートであり、第１機器１１０が前述の図４のフローチャートのように動作するとき、第１機器１１０、客体１２０及び第２機器１３０の間の動作フローチャート、及び第１機器１１０が、前述の図７のフローチャートのように動作するとき、第１機器１１０、客体１２０及び第２機器１３０の間の動作フローチャートについて説明するための図面である。
段階Ｓ８０１で、第１機器１１０と第２機器１３０との間でインタラクティブ・サービスを行っているとき、段階Ｓ８０２及びＳ８０３で、第１機器１１０は、近距離無線通信に基づいて、客体１２０から第１情報を獲得する。獲得された第１情報は、図１で述べられたように、生活全般で収集される情報、及び／または前記収集される情報のメタデータであってもよい。
【００６４】
段階Ｓ８０４で、第１機器１１０は、獲得された第１情報と、インタラクティブ・サービスに連動される伝送方式情報とを表示する。第１機器１１０は、例えば、図５の画面５２０のポップアップ・ウィンドー５２１、または図６の画面６２０のポップアップ・ウィンドー６２１で説明したように、情報を表示できるが、それに限定されるものではない。
段階Ｓ８０５で、第１機器１１０は、表示されている獲得された第１情報と、インタラクティブ・サービスに連動される伝送方式情報とに基づいて、情報伝送要請信号が受信され、段階Ｓ８０６で、第１機器１１０は、第１情報から、かつ／または第１情報に基づいて第２情報を生成する。情報伝送要請信号の受信は、図５及び図６で説明したように、表示されている情報に係わるユーザの選択を示す入力に基づくものであるが、それに限定されるものではない。第１情報から、かつ／または第１情報に基づいて第２情報を生成することは、図４の段階Ｓ４０５と、図７の段階Ｓ７０５とで説明したように遂行されもする。
【００６５】
段階Ｓ８０７で、第１機器１１０は、インタラクティブ・サービスに連動される伝送方式で、第２情報を伝送する。インタラクティブ・サービスに連動される伝送方式は、図５の画面５２０と、図６の画面６２０とで説明したように、表示されている情報に係わるユーザの選択を示す入力に基づいて決定されもする。
段階Ｓ８０８で、第２機器１３０は、段階Ｓ８０１でのインタラクティブ・サービスに連動される伝送方式に基づいて受信された第２情報を表示する。
段階Ｓ８０９で、第１機器１１０は、伝達状態を示すメッセージを表示することができる。
【００６６】
図９は、望ましいさらに別の実施形態による情報伝送方法での第１機器１１０の動作フローチャートである。図９は、第１機器１１０と第２機器１３０との通信が終わった後、獲得された第１情報から、かつ／または第１情報に基づいて第２情報を生成し、第１機器１１０から第２機器１３０に伝送する場合である。
段階Ｓ９０１で、第１機器１１０は、第２機器１３０とインタラクティブ・サービスを遂行する。段階Ｓ９０２で、第１機器１１０は、近距離無線通信に基づいて、客体１２０から第１情報を獲得する。
【００６７】
段階Ｓ９０３で、第１機器１１０は、第１機器１２０とのインタラクティブ・サービスを終了し、段階Ｓ９０４で、第１情報から及び第１情報に基づいて第２情報を生成する。段階Ｓ９０５で、第１機器１１０は、インタラクティブ・サービスと連動される伝送方式を使用して、第２情報を第２機器１３０に伝送する。かような場合、連動される伝送方式は、第１機器１１０と第２機器１３０とのインタラクティブ・サービスと異なる通信方式である。例えば、段階Ｓ９０１で、インタラクティブ・サービスは、音声通話サービスまたは映像通話サービスであってもよく、段階Ｓ９０５でのインタラクティブ・サービスに連動される伝送方式は、ＳＭＳ／ＭＭＳでもある。段階Ｓ９０５で利用される連動される伝送方式は、段階Ｓ９０１での第１機器１１０と第２機器１３０とのインタラクティブ・サービスに基づいて、事前に設定された伝送方式であるが、それに限定されるものではない。特に、獲得された第１情報のタイプと、インタラクティブ・サービスに基づいて連動される伝送方式とを決定することができる。
【００６８】
図１０は、望ましいさらに別の実施形態による、情報伝送方法に係わる動作フローチャートである。図１０は、第１機器１１０の動作フローチャートが図９のような場合、第１機器１１０、客体１２０及び第２機器１３０の間の動作フローチャートについて説明するための図面である。
段階Ｓ１００１で、第１機器１１０と第２機器１３０とがインタラクティブ・サービスを遂行し、段階Ｓ１００２及びＳ１００３で、第１機器１１０は、近距離無線通信に基づいて、客体１２０から第１情報を獲得する。獲得された第１情報は、図１で述べられたように、生活全般で収集される情報、及び／または前記情報に係わるメタデータであってもよい。
段階Ｓ１００４で、第１機器１１０は、第２機器１３０とのインタラクティブ・サービスを終了する。段階Ｓ１００５で、第１機器１１０は、第１情報から、かつ／または第１情報に基づいて第２情報を生成する。段階Ｓ１００６で、第１機器１１０は、インタラクティブ・サービスに連動される伝送方式で、第２情報を第２機器１３０に伝送する。段階Ｓ１００７で、第２機器１３０は、インタラクティブ・サービスに連動される伝送方式に基づいて受信された第２情報を表示する。
【００６９】
図１１Ａは、望ましい一実施形態による、第２機器１３０を使用して遂行される情報伝送方法の動作フローチャートである。
段階Ｓ１１０１で、第２機器１３０は、第１機器１１０とインタラクティブ・サービスを遂行する。段階Ｓ１１０２で、第２機器１３０は、第１機器１１０によって近距離無線通信に基づいて獲得された第１情報から、かつ／または第１情報に基づいて生成された第２情報を、インタラクティブ・サービスに基づいて受信する。段階Ｓ１１０３で、第２機器１３０は、受信された第２情報をインタラクティブ・サービスを介して出力する。
【００７０】
図１１Ｂは、望ましい別の実施形態による、第２機器１３０を使用して遂行される情報伝送方法の動作フローチャートである。
段階Ｓ１１０４で、第２機器１３０は、第１機器１１０とインタラクティブ・サービスを遂行する。段階Ｓ１１０５で、第２機器１３０は、第１機器１１０によって近距離通信に基づいて獲得された第１情報から、かつ／または第１情報に基づいて生成された第２情報を、インタラクティブ・サービスに連動される伝送方式を使用して受信する。インタラクティブ・サービスに連動される伝送方式は、第１機器１１０の決定による。
段階Ｓ１１０６で、第２機器１３０は、第２情報の受信を知らせるメッセージと連動される伝送方式情報を出力する。情報は、第２機器１３０上に表示され、かつ／またはオーディオ信号として出力されもする。情報が表示形態で出力される場合、第２機器１３０は、図５の画面５２０でのポップアップ・ウィンドー５２１、または図６の画面６２０でのポップアップ・ウィンドー６２１のように、情報を表示することができる。
【００７１】
段階Ｓ１１０７で、第２機器１３０は、出力される情報に基づいての第２情報の受信受諾を示すユーザの入力を受信する。ユーザの入力は、図５の画面５２０のポップアップ・ウィンドー５２１に含まれた、連動される伝送方式メッセージ５２２に対応するメッセージに係わるユーザの選択を示す入力、または図６の画面６２０のポップアップ・ウィンドー６２１に含まれた、入力６２２に対応するメッセージに係わるユーザの選択を示す入力に基づくものである。段階Ｓ１１０８で、第２機器１３０は、第２情報を、インタラクティブ・サービスに連動される伝送方式で出力する。
図１１Ａまたは図１１Ｂに図示された第２機器１３０の動作フローチャートは、前述の図３及び図８での第２機器１３０の動作フローチャートにそれぞれ適用されもする。
【００７２】
図１２は、望ましい別の実施形態による、情報伝送方法での第２機器１３０の動作について説明するためのフローチャートであり、第１機器１１０とのインタラクティブ・サービスが終わった後、第１機器１１０によって獲得された第１情報から、かつ／または第１情報に基づいて生成された第２情報を受信する場合である。
段階Ｓ１２０１で、第２機器１３０は、第１機器１１０とインタラクティブ・サービスを遂行する。段階Ｓ１２０２で、第２機器１３０は、第１機器１１０とのインタラクティブ・サービスを終了する。
【００７３】
段階Ｓ１２０３で、第２機器１３０は、第１機器１１０によって近距離無線通信に基づいて獲得された第１情報から生成された第２情報を、インタラクティブ・サービスに連動される伝送方式で受信する。インタラクティブ・サービスに連動される伝送方式は、第１機器１１０の決定による。
段階Ｓ１２０４で、第２機器１３０は、第２情報の受信を知らせるメッセージと、インタラクティブ・サービスに連動される伝送方式情報とを出力する。情報は、第２機器１３０上に表示されたり、あるいはオーディオ信号として出力されたりもする。情報が、第２機器１３０上に表示される場合、第２機器１３０は、図５の画面５２０でのポップアップ・ウィンドー５２１、及び／または図６の画面６２０でのポップアップ・ウィンドー６２１で説明したように、情報を表示することができる。
【００７４】
段階Ｓ１２０５で、第２機器１３０は、出力される情報に基づいての第２情報の受信受諾を示すユーザの入力を受信する。ユーザの入力は、図５の画面５２０のポップアップ・ウィンドー５２１に含まれたインタラクティブ・サービスに連動される伝送方式メッセージ５２２に対応するメッセージに係わるユーザの選択を示す入力、または図６の画面６２０のポップアップ・ウィンドー６２１に含まれた入力６２２に対応するメッセージに係わるユーザの選択を示す入力に基づくものである。段階Ｓ１２０６で、第２機器１３０は、第２情報をインタラクティブ・サービスに連動される伝送方式で出力する。
図１２に図示された第２機器１３０の動作フローチャートは、前述の図１０での第２機器１３０の動作フローチャートに適用されもする。
【００７５】
図１３は、望ましい一実施形態による第１機器１００の例のブロック図である。図１３を参照すれば、第１機器１１０は、情報入出力インターフェース１３１０、情報獲得器１３２０、通信インターフェース１３３０、プロセッサ１３４０及びメモリ１３５０を含むが、それらに限定されるものではない。特に、第１機器１１０は、図１３に図示されたものに比べ、追加的な構成要素を含んでもよい。情報入出力インターフェース１３１０は、情報入出力部または情報入出力モジュールとも言うことができる。情報獲得器１３２０は、情報獲得部または情報獲得モジュールとも言うことができる。通信インターフェース１３３０は、通信部または通信モジュールとも言うことができる。
【００７６】
情報入出力インターフェース１３１０は、ユーザの入力を受信し、第１機器１１０から出力情報を出力する。例えば、ユーザの入力は、前述のように、タッチ基盤入力、物理的なボタン制御基盤の入力、ユーザのジェスチャ基盤の入力、ユーザの音声認識基盤の入力、顔認識基盤の入力及び遠隔制御器（図示せず）基盤の一つ以上の入力を含んでもよいが、それらに限定されるものではない。
また、望ましい一実施形態により、情報入出力インターフェース１３１０は、図５及び図６に図示された画面を表示し、情報伝送要請信号を受信することができる。
情報入出力インターフェース１３１０は、ダイヤル、スライダ・スイッチ、ジョイスティック、クリックホイール、タッチパッド、タッチ・スクリーン、マイクロホン、スピーカ、センサ、コネクタ、表示灯、キーパッド、表示機器、スクロールホイール、無線通信に基づいた遠隔信号受信機、及び／または任意の他の適切な入力メカニズムのうち一つ以上を含んでもよいが、それらに限定されるものではない。
【００７７】
情報獲得器１３２０は、近距離通信に基づいて、周辺から情報を獲得する。情報獲得器１３２０は、ＮＦＣ基盤の近距離無線通信、ＲＦＩＤ基盤の近距離無線通信、ＢＬＥ基盤の近距離無線通信、及びバーコード認識基盤またはＱＲコード認識基盤の技術のうち少なくとも一つに基づいて情報を獲得するように構成される。
そのために、情報獲得器１３２０は、ＮＦＣ基盤通信モジュール、ＲＦＩＤ基盤通信モジュール、ＢＬＥ基盤通信モジュール、及びバーコード認識基盤またはＱＲコード認識基盤のモジュールを含んでもよいが、それらに限定されるものではない。特に、情報獲得器１３２０は、前述のモジュールのうち一部を含まないこともある。
【００７８】
ＮＦＣ基盤通信モジュールは、外部の客体１２０がＮＦＣ基盤タグであるとき、ＮＦＣリード／ライトで構成されもするが、それに限定されるものではない。それにより、第１機器１１０と客体１２０との距離がＮＦＣ基盤通信半径（例えば、１０ｃｍ〜２０ｃｍ）内であるならば、情報獲得器１３２０は、客体１２０に保存された情報を読み取ったり、あるいは受信したりすることができる。
ＲＦＩＤ基盤通信モジュールは、外部の客体１２０が、ＲＦＩＤ基盤タグであるとき、ＲＦＩＤリーダ（reader）として構成されもするが、それに限定されるものではない。それにより、第１機器１１０と客体１２０との距離が、ＲＦＩＤ認識距離内であるならば、情報獲得器１３２０は、客体１２０に保存された情報を受信することができる。ＲＦＩＤ認識距離は、ＲＦＩＤタグの種類に基づいて可変的にもなる。
【００７９】
ＢＬＥ基盤通信モジュールは、外部の客体１２０がＢＬＥモジュールであるとき、ＢＬＥでブロードキャストする信号を受信することができるブルートゥースモジュールとして構成されもするが、それに限定されるものではない。それにより、第１機器１１０と客体１２０との距離がＢＬＥによってブロードキャストされる信号を受信することができる距離内であるならば、情報獲得器１３２０は、客体１２０に保存された情報を受信することができる。
バーコード認識基盤またはＱＲコード認識基盤のモジュールは、外部の客体１２０が、バーコードまたはＱＲコードのようなコードで構成された場合、バーコード・スキャナまたはＱＲコード・スキャナで構成されたり、あるいはそれに対応するアプリケーションで構成されたりもするが、それらに限定されるものではない。情報獲得器１３２０がバーコードまたはＱＲコード・スキャナ、またはそれに対応するアプリケーションで構成された場合、情報獲得器１３２０は、情報入出力インターフェース１３１０によって受信されたユーザの入力に基づいて動作されもする。
【００８０】
通信インターフェース１３３０はネットワーク１５０を介して、第２機器１３０、及び／またはサーバ１４０と通信することができる。通信インターフェース１３３０は、第２機器１３０と、例えば、メッセンジャー・サービス（messenger service）、メッセージ・サービス（message service）、電子メールサービス（e-mail service）、映像通話サービス及び音声通話サービスのうち一つ以上のようなインタラクティブ・サービスを遂行することができるが、それらに限定されるものではない。通信インターフェース１３３０は、第２機器１３０と近距離通信ではない通信で、インタラクティブ・サービスを遂行することができる。近距離通信ではない通信は、例えば、ＡＰ（access point）を利用したＷｉ−Ｆｉ通信、３Ｇ通信及び４Ｇ ＬＴＥ通信のうち一つ以上でもあるが、それらに限定されるものではない。情報獲得器１３２０から獲得された第１情報がメタデータである場合、通信インターフェース１３３０は、プロセッサ１３４０によって制御され、サーバ１４０に、メタデータに基づいた原情報要請を伝送し、かつサーバ１４０から原情報を受信するために使用されもする。
【００８１】
通信インターフェース１３３０はネットワーク１５０を介して、第２機器１３０と、前述のインタラクティブ・サービスを遂行しながら、インタラクティブ・サービスに連動される伝送方式で、情報獲得器１３２０で獲得された第１情報から、かつ／または第１情報に基づいて生成された第２情報を第２機器１３０に伝送することができる。通信インターフェース１３３０は、第２情報をインタラクティブ・サービスに連動される伝送方式に合うデータ・フォーマットに変換させて伝送することができる。しかしながら、第２情報のデータ・フォーマット変換は、プロセッサ１３４０で遂行されもする。
【００８２】
プロセッサ１３４０は、メモリ１３５０に保存された望ましい一実施形態による情報伝送方法を遂行するための少なくとも１つのプログラムを実行する。
特に、プロセッサ１３４０は、前記プログラムを実行し、通信インターフェース１３３０を介して、第２機器１３０とインタラクティブ・サービスを行っている間、情報獲得器１３２０による第１情報獲得過程、通信インターフェース１３３０による第２情報伝送過程、及び情報入出力インターフェース１３１０による情報入出力過程を制御することができるが、それらに限定されるものではない。
プロセッサ１３４０は、第１機器１１０と第２機器１３０との間でインタラクティブ・サービスを行っているとき、情報獲得器１３２０から第１情報が獲得されれば、図１で説明したように、第１情報から、かつ／または第１情報に基づいて第２情報を生成する。プロセッサ１３４０は、生成された第２情報を、インタラクティブ・サービスに基づいて、通信インターフェース１３３０を介して、第２機器１３０に伝送する。
【００８３】
プロセッサ１３４０は、前述のインタラクティブ・サービスに連動される伝送方式で、第２情報を伝送することができる。すなわち、プロセッサ１３４０は、前述のインタラクティブ・サービスに連動される伝送方式に係わる情報、及び獲得された第１情報を、図５の画面５２０または図６の画面６２０のように、情報入出力インターフェース１３１０を介して表示する。インタラクティブ・サービスに連動される伝送方式に係わる情報は、メモリ１３５０に事前に保存されもする。事前に保存されるインタラクティブ・サービスに連動される伝送方式に係わる情報は、第１機器１１０と第２機器１３０とのインタラクティブ・サービスによる。情報入出力インターフェース１３１０に表示されている情報を基に獲得された第１情報の伝送が要請されることにより、プロセッサ１３４０は、第１情報から、かつ／または第１情報に基づいて第２情報を生成し、生成された第２情報を、インタラクティブ・サービスに連動される伝送方式によるデータ・フォーマットに変更し、第２機器１３０に伝送するように、通信部１３３０を制御する。
【００８４】
プロセッサ１３４０は、第２情報が第２機器１３０に伝送された後、伝達状態を示すメッセージを、情報入出力インターフェース１３２０を介して表示することができる。
一方、プロセッサ１３４０は、第１機器１１０と第２機器１３０とのインタラクティブ・サービスを終了した後、獲得された第１情報から第２情報を生成し、生成された第２情報を、インタラクティブ・サービスに連動される伝送方式で伝送することができる。
【００８５】
メモリ１３５０は、前述の少なくとも１つのプログラム、インタラクティブ・サービスに連動される伝送方式などの情報、第１機器１１０で遂行される各種インタラクティブ・サービスによる通信アプリケーション、及びバーコードまたはＱＲコードを認識することができる少なくとも１つのアプリケーションを保存するが、それらに限定されるものではない。メモリ１３５０は、フラッシュメモリ・タイプ、ハードディスク・タイプ、マルチメディアカードマイクロ・タイプ、カードタイプのメモリ（例えば、ＳＤメモリ、ＸＤメモリなど）、ＲＯＭ（read-only memory）、ＥＥＰＲＯＭ（electronically erasable programmable read only memory）、ＰＲＯＭ（programmable read only memory）、磁気メモリ、光ディスクのうち少なくとも１つのタイプの記録媒体を含んでもよい。
【００８６】
図１４は、望ましい一実施形態による第１機器１１０の機能ブロック図の別の例である。図１４を参照すれば、第１機器１１０は、ユーザ入力インターフェース１４０１、センサ１４０２、タッチ・スクリーン１４０３、カメラ１４０４、オーディオ入力インターフェース１４０５、オーディオ出力インターフェース１４０６、保存器１４０７、通信インターフェース１４０８、情報獲得器１４０９、ポート１４１０、プロセッサ１４１１及び電源供給部１４１２を含むが、それらに限定されるものではない。特に、第１機器１１０は、図１４に図示された構成要素より多くの構成要素を含んだり、あるいはさらに少ない構成要素を含んだりしてもよい。
【００８７】
ユーザ入力インターフェース１４０１は、ユーザ入力部またはユーザ入力モジュールとも言うことができる。センサ１４０２は、センシング部またはセンシング・モジュールとも言うことができる。オーディオ入力インターフェース１４０５は、オーディオ入力部またはオーディオ入力モジュールとも言うことができる。オーディオ出力インターフェース１４０６は、オーディオ出力部またはオーディオ出力モジュールとも言うことができる。通信インターフェース１４０８は、通信部または通信モジュールとも言うことができる。
ユーザ入力インターフェース１４０１は、第１機器１１０の動作を制御するための入力データ（または制御データ）、及び前述のユーザ入力情報を発生させる。ユーザ入力インターフェース１４０１は、キーパッド、ドームスイッチ（dome switch）、マウスを代替するタッチパッド、ジョグホイール（jog wheel）、ジョグスイッチ（jog switch）、ハードウェア（Ｈ／Ｗ）ボタン、及び／または任意の他の適切な入力メカニズムのうち一つ以上を含んでもよい。
【００８８】
センサ１４０２は、例えば、第１機器１１０の位置、ユーザのコンタクト有無、第１機器１１０の方位、第１機器１１０の加速または減速、及び／または任意の他の適切な状態関連情報のうち一つ以上のように、第１機器１１０の現在状態を感知し、第１機器１１０の動作を制御するためのセンシング信号を発する。センサ１４０２は、近接センサ及び前述のモーション・センサを含んでもよい。したがって、センサ１４０２は、センサ基盤のユーザ・ジェスチャを認識した信号を発することができる。
近接センサは、事前に設定された検出面にアクセスする物体、及び／または近傍に存在する物体の有無を、電子系の力、及び／または赤外線を利用して、機械的接触なしに検出するセンサをいう。近接センサの例として、透過型光電センサ、直接反射型光電センサ、ミラー反射型光電センサ、高周波発振型近接センサ、静電容量型近接センサ、磁気型近接センサ、赤外線近接センサ、及び／または任意の他の適切なタイプのセンサがある。
【００８９】
タッチ・スクリーン１４０３基盤のユーザ入力情報は、ユーザのジェスチャに依存するユーザの要請（request）またはユーザの選択（selection）に基づいて生じる。ユーザのジェスチャは、タッチ回数、タッチパターン、タッチ面積及びタッチ強度の多様な組み合わせにより、前述のユーザ・ジェスチャの例のように多様に定義されもする。タッチ・スクリーン１４０３に係わるユーザの指に基づいたタッチは、タッチ・スクリーン１４０３のタッチ領域をタッチすることができるユーザの身体部位に基づくと理解されもする。
【００９０】
タッチ・スクリーン１４０３は、タッチ・スクリーン１４０３のタッチまたは近接タッチを感知するための多様なセンサのうち一つ以上を含んでもよい。タッチ・スクリーン１４０３に具備されるセンサは、タッチ・スクリーン１４０３上でのユーザのジェスチャまたはパターンを感知するセンサを意味する。したがって、タッチ・スクリーン１４０３は、前述のタッチ基盤のドラッグ、フリック、タップ、タッチ・アンド・ホールド、ダブルタップ、パニング、スウィープ（sweep）及びスワイプ（swipe）などと、近接センサに基づいたユーザ・ジェスチャまたはパターンとをセンシングした信号を発することができる。タッチ・スクリーン１４０３のための近接センサは、センサ１４０２に含まれる近接センサと同一であってもよい。
【００９１】
タッチ・スクリーン１４０３のタッチを感知するセンサの一例として、触覚センサがある。触覚センサは、コンタクト面の粗度、接触物体の硬度、接触地点の温度、及び／または任意の他の適切なタイプのタッチ基盤情報のうち一つ以上の情報を感知することができる。タッチ・スクリーン１４０３のタッチは、パネルにポインタがタッチされた場合である。タッチは、マルチタッチを含んでもよい。タッチ・スクリーン１４０３の近接タッチ（proximity touch）は、ポインタがタッチ・スクリーン１４０３に実際にタッチされず、タッチ・スクリーン１４０３から所定距離内に接近した場合である。ポインタは、タッチ・スクリーン１４０３の特定部分をタッチしたり、あるいは近接タッチしたりするためのツールである。その事例として、スタイラスペン、指、及び／または任意の他の適切な客体、またはタッチ・スクリーン１４０３にタッチを加えるために使用される身体の一部分を含んでもよい。したがって、ポインタは、外部入力装置とも言うことができる。
【００９２】
タッチ・スクリーン１４０３は、第１機器１１０で処理される情報を出力する。タッチ・スクリーン１４０３は、タッチ・スクリーン１４０３に具備されたセンサによってセンシングされたユーザのジェスチャまたはタッチパターン、ユーザ入力インターフェース１４０１を介して受信された制御データ、ユーザの入力情報、またはセンサ１４０２によって感知された信号に応答する画面を表示する。
タッチ・スクリーン１４０３は、入力装置及び出力装置とも言うことができる。タッチ・スクリーン１４０３が入力装置及び出力装置であるとき、タッチ・スクリーン１４０３に表示される画面は、ＵＩ（user interface）画面またはＧＵＩ（graphic user interface）画面を含む。タッチ・スクリーン１４０３は、再生されているコンテンツの映像を表示し、ユーザ入力情報を受信することができる。望ましい実施形態により、第１機器１１０と第２機器１３０とのインタラクティブ・サービスに基づいた情報などを表示することができる。例えば、タッチ・スクリーン１４０３は、図５及び図６に図示された画面を表示することができる。
【００９３】
タッチ・スクリーン１４０３は、液晶ディスプレイ（liquid crystal display）、薄膜トランジスタ液晶ディスプレイ（thin film transistor liquid crystal display）、有機発光ダイオード（organic light emitting diode）、フレキシブル・ディスプレイ（flexible display）、三次元ディスプレイ（３Ｄ display）及びＡＭＯＬＥＤ（active matrix organic light emitting diode）のうち一つ以上を含んでもよいが、それらに限定されるものではない。タッチ・スクリーン１４０３は、ディスプレイとも言うことができる。タッチ・スクリーン１４０３は、第１機器１１０の具現形態に基づいて、２個以上存在してもよい。
【００９４】
カメラ１４０４は、例えば、映像通話モードまたは撮影モードで、イメージセンサ（または光センサ）によって得られる静止映像または動画などの画像フレームを処理する。そして処理された画像フレームは、タッチ・スクリーン１４０３に表示されもする。カメラ１４０４で処理された画像フレームは、保存器１４０７に保存されたり、あるいは通信インターフェース１４０８またはポート１４１０を介して外部に伝送されたりもする。カメラ１４０４は、情報獲得器１４０９が、バーコード認識基盤またはＱＲコード認識基盤で構成された場合、プロセッサ１４１１を介して、情報獲得器１４０９と連動されもする。
カメラ１４０４は、第１機器１１０の構成に基づいて、２個以上が具備されもする。また、カメラ１４０４は、ユーザの空間ジェスチャを認識する入力装置として使用されもする。カメラ１４０４によって得られる画像フレームは、望ましい一実施形態による双方向通信サービスに基づいて生成されたユーザのイメージであってもよい。
【００９５】
オーディオ入力インターフェース１４０５は、通話モード、録画モードまたは音声認識モードなどで、外部の音響信号を入力され、電気的な音声データに変換し、プロセッサ１４１１に伝送する。オーディオ入力インターフェース１４０５は、例えば、マイクロホンで構成されもする。オーディオ入力インターフェース１４０５は、外部の音響信号を入力される過程で生じるノイズを除去するための多様なノイズ除去アルゴリズムを含むように構成されもする。
【００９６】
オーディオ入力インターフェース１４０５を利用して受信される前記音響信号は、望ましい実施形態によるインタラクティブ・サービス及びコンテンツ共有のための自然語基盤のユーザ入力情報であってもよい。例えば、コンテンツ関連情報獲得命令が、オーディオ入力インターフェース１４０５を介して受信されもする。自然語基盤のユーザ入力情報は、音声認識技術基盤で入力されもする。オーディオ入力インターフェース１４０５を介して受信される外部の音響信号は、保存器１４０７に保存されたり、あるいは通信インターフェース１４０８またはポート１４１０を介して外部に伝送されたりもする。
【００９７】
オーディオ出力インターフェース１４０６は、通話モードまたはオーディオ再生モードなどで、外部から受信される音響信号またはオーディオ信号を出力する。オーディオ出力インターフェース１４０６は、スピーカで構成されもする。オーディオ出力インターフェース１４０６は、コンテンツが再生されるとき、再生されるコンテンツに、オーディオ信号が含まれていれば、再生されるコンテンツに含まれているオーディオ信号を出力する。オーディオ入力インターフェース１４０５とオーディオ出力インターフェース１４０６とは、ヘッドセットのように一体型で構成されもする。
【００９８】
保存器１４０７は、後述するプロセッサ１４１１で実行可能になるように構成された少なくとも１つのプログラム、及び／または命令語セットと、資源（resource）とを保存する。少なくとも１つのプログラムは、望ましい一実施形態による情報伝送方法を遂行するための少なくとも１つのプログラム、第１機器１１０のオペレーティング・システム（operating system）プログラム、第１機器１１０で遂行される各種機能に関連アプリケーションプログラム、及び第１機器１１０に含まれたハードウェア・コンポーネントを駆動させるプログラムを含む。
【００９９】
資源は、望ましい一実施形態により、第１機器１１０と第２機器１３０との間で遂行されるインタラクティブ・サービスに連動される伝送方式情報を含んでもよい。インタラクティブ・サービスに連動される伝送方式情報は、図１で説明した通りである。また、資源は、第１機器１１０のユーザ情報、第１機器１１０に設定されたアプリケーションプログラム管理に係わる情報、及び前述のハードウェア・コンポーネントを駆動させるためのプログラム実行に係わる情報を含んでもよいが、それらに限定されるものではない。
【０１００】
保存器１４０７はフラッシュメモリ・タイプ、ハードディスク・タイプ、マルチメディアカードマイクロ・タイプ、カードタイプのメモリ（例えば、ＳＤメモリ、ＸＤメモリなど）、ＲＯＭ、ＥＥＰＲＯＭ、ＰＲＯＭ、磁気メモリ、光ディスクのうち少なくとも１つのタイプの記録媒体を含んでもよい。
保存器１４０７に保存される少なくとも１つのプログラム及び／または命令語セットは、機能によって複数個のモジュールに分類することができる。
【０１０１】
図１５は、保存器１４０７に保存されるプログラム及び／または命令語セットをモジュール別に分類した例である。図１５を参照すれば、保存器１４０７は、オペレーティング・システム１５０１、第１通信モジュール１５０２、第２通信モジュール１５０３、グラフィック・モジュール１５０４、ＧＰＳ（global position system）モジュール１５０５、ＵＩモジュール１５０６、センシング・モジュール１５０７、コンタクト＆モーション・モジュール１５０８、電源モジュール１５０９及びアプリケーション・モジュール１５１０を含むが、それらに限定されるものではない。
【０１０２】
アプリケーション・モジュール１５１０は、コンテンツ再生モジュール１５１１、情報伝送モジュール１５１２、外部機器制御モジュール１５１３、映像通話モジュール１５１４、音声通話モジュール１５１５、メッセンジャー・モジュール１５１６、ＳＭＳモジュール１５１７、ＭＭＳモジュール１５１８、フォトブック（Phonebook）モジュール１５１９及びコンテンツ共有モジュール１５２０を含むが、それらに限定されるものではない。例えば、アプリケーション・モジュール１５１０は、電子メールモジュール、ＳＮＳ（social network service）モジュール、画像会議モジュール、イメージ管理モジュール、ブラウジング・モジュール、カレンダー・モジュール、ウィジェット・モジュール、検索モジュール及びワード文書作成モジュールなど多様なモジュールのうち一つ以上をさらに含んでもよい。
オペレーティング・システム１５０１は、第１機器１１０の一般的な機能を制御して管理することにより、第１機器１１０内のハードウェアと、ソフトウェア・コンポーネントとの通信を可能にするソフトウェア・コンポーネントを含む。
【０１０３】
第１通信モジュール１５０２は、通信インターフェース１４０８を介して、第２機器１３０及びサーバ１４０との通信を可能にし、通信インターフェース１４０８を介して、第２機器１３０及びサーバ１４０から受信されるデータと、第２機器１３０及びサーバ１４０に送信されるデータとを処理するためのソフトウェア・コンポーネントを含む。本発明の望ましい実施形態により、第１通信モジュール１５０２は、第２機器１３０とインタラクティブ・サービスを行う時、第１機器１１０の周辺客体から獲得された第１情報から、かつ／または第１情報に基づいて生成された第２情報を、インタラクティブ・サービスに連動される伝送方式を使用して伝送することができる。
第２通信モジュール１５０３は、ポート１４１０を介して、外部機器（図示せず）との通信を可能にし、ポート１４１０を介して、外部機器（図示せず）から受信されるデータと、外部機器（図示せず）に送信されるデータとを処理するためのソフトウェア・コンポーネントを含む。
【０１０４】
グラフィック・モジュール１５０４は、タッチ・スクリーン１４０３に表示されるグラフィックの明度調節及びレンダリングのためのソフトウェア・コンポーネント、及びアプリケーション・モジュール１５１０でテキストを入力するための仮想キーボード（またはソフトキーボード）を提供するソフトウェア・コンポーネントを含む。
ＧＰＳモジュール１５０５は、第１機器１１０の位置を決定し、決定された位置情報を、位置基盤サービスを提供するアプリケーションに提供するソフトウェア・コンポーネントを含む。
ＵＩモジュール１５０６は、タッチ・スクリーン１４０３基盤のＵＩ情報を提供するアプリケーションと共に使用されるＵＩを提供するソフトウェア・コンポーネントを含む。
【０１０５】
センシング・モジュール１５０７は、センサ１４０２基盤のセンシング情報を決定し、決定されたセンシング情報基盤のサービスを提供するアプリケーション・モジュール１５１０に提供するソフトウェア・コンポーネントを含む。
コンタクト＆モーション・モジュール１５０８は、タッチ・スクリーン１４０３基盤のタッチ接触を感知し、接触に基づいた動きを追跡し、アプリケーション・モジュール１５１０に追跡された動きを提供するソフトウェア・コンポーネントを含む。
電源モジュール１５０９は、オペレーティング・システム１５０１と連動され、第１機器１１０内のハードウェア・コンポーネントに係わる電源供給を制御し、タッチ・スクリーン１４０３に供給される電源に係わる節電モードを制御するソフトウェア・コンポーネントを含む。
【０１０６】
アプリケーション・モジュール１５１０に含まれるモジュールの機能は、その名称で当業者が直観的に推論することができると考えられるので、望ましい一実施形態関連アプリケーション・モジュールを中心に説明する。
例えば、第１機器１１０の音声通話モジュール１５１４を実行し、第２機器１３０と音声通話サービスを行っているとき、情報伝送モジュール１５１２を実行し、客体１２０から第１情報を獲得し、獲得された第１情報から、かつ／または第１情報に基づいて第２情報を生成する。第１機器１１０は、情報伝送モジュール１５１２に提供する音声通話サービス時、連動される伝送方式を使用して、第２情報を通信インターフェース１４０８を介して、第２機器１３０に伝送する。
【０１０７】
保存器１４０７は、図１５に図示されたプログラム及び／または命令語セットのうちアプリケーション・モジュール１５１０に含まれるモジュールを保存しないか、あるいは、例えば、アプリケーション・モジュール１５１０のＵＲＬのような位置情報、及びアプリケーション・モジュールを示すことができる表示情報だけ保存することができる。保存器１４０７にアプリケーション・モジュール１４１０に含まれるモジュールが保存されていない場合、プロセッサ１４１１は、通信インターフェース１４０８を介して、サーバ１４０と接続し、サーバ１４０に保存されているアプリケーション・モジュール１５１０に対応するプログラム及び／または命令語セットを使用することができる。
保存器１４０７に、アプリケーション・モジュールの位置情報、及びアプリケーション・モジュールを示すことができる表示情報のみ保存された場合、タッチ・スクリーン１４０３を介して表示されるアプリケーション・モジュールの表示情報に基づいたユーザの選択信号に対応するアプリケーションの位置情報を利用して、プロセッサ１４１１は、通信インターフェース１４０８を介して、サーバ１４０に保存されている、ユーザによって選択されたアプリケーションのプログラム及び／または命令語セットを使用することができる。
【０１０８】
通信インターフェース１４０８は、無線インターネット、無線イントラネット、無線電話ネットワーク、無線ＬＡＮ通信、Ｗｉ−Ｆｉ通信、Ｗｉ−Ｆｉダイレクト（ＷＦＤ）通信、３Ｇ通信、４Ｇ ＬＴＥ通信、ブルートゥース通信、赤外線通信（ＩｒＤＡ）、ＲＦＩＤ通信、ＵＷＢ通信、Ｚｉｇｂｅｅ通信のうち一つ以上を含む無線通信ネットワーク、または有線インターネットを含む有線通信ネットワークを介して、第２機器１３０またはサーバ１４０とデータを送受信することができる。
通信インターフェース１４０８は、放送受信モジュール、移動通信モジュール、無線インターネット・モジュール、有線インターネット・モジュール、近距離通信モジュール及び位置情報モジュールのうち少なくとも一つを含んでもよいが、それらに限定されるものではない。
情報獲得器１４０９は、図１３の情報獲得器１３２０のように構成されもする。
【０１０９】
ポート１４１０は、例えば、ＵＳＢ（universal serial bus）ポート（図示せず）のようなプラグ・アンド・プレイ（plug and play）・インターフェースを利用して、外部機器（図示せず）とデータを送受信することができる。ポート１４１０は、第１機器１１０の構成要素に含まれないこともある。
電源供給部１４１２は、第１機器１１０に含まれたハードウェア・コンポーネントに電力を供給する。電源供給部１４１２は、例えば、バッテリ及び交流電源のうち一つ以上のような一つ以上の電源を含む。第１機器１１０は、電源供給部１４１２を含まず、外部電源供給部（図示せず）と接続される接続部（connection unit）（図示せず）を含んでもよい。
【０１１０】
プロセッサ１４１１は、第１機器１１０の全般的な動作を制御するものであり、一つ以上のプロセッサで構成されもする。プロセッサ１４１１は、保存器１４０７に保存されたオペレーティング・システム１５０１と、各種モジュール１５０２〜１５２０とを利用して、ユーザ入力インターフェース１４０１、センサ１４０２、タッチ・スクリーン１４０３、カメラ１４０３、オーディオ入力インターフェース１４０５、オーディオ出力インターフェース１４０６、保存器１４０７、通信インターフェース１４０８、情報獲得器１４０９、ポート１４１０及び電源供給部１４１２を全般的に制御することができる。したがって、プロセッサ１４１１は、制御器、マイクロプロセッサ、デジタル信号処理器（digital signal processor）などとも言うことができる。
また、プロセッサ１４１１は、オペレーティング・システム１５０１と、ＵＩモジュール１５０６とを用い、ユーザ入力インターフェース１４０１、センサ１４０２、タッチ・スクリーン１４０３、カメラ１４０４及びオーディオ入力インターフェース１４０５を利用して、ユーザ・インターフェースを提供することができる。
【０１１１】
プロセッサ１４１１は、望ましい一実施形態による情報伝送方法に係わる少なくとも１つのプログラムを実行し、前述の図２Ａ、図２Ｂ、図４、図７及び図９に図示されたフローチャートのうち１つの動作フローチャートを遂行することができる。プロセッサ１４１１は、前記プログラムを保存器１４０７から読み取って実行したり、あるいは通信インターフェース１４０８を介して、接続されたサーバ１４０からダウンロードして実行したりすることができる。このとき、サーバ１４０は、アプリケーション提供サーバまたはアプリケーション・マーケット・サーバとも言うことができる。プロセッサ１４１１は、第１機器１１０内の各種ハードウェア・コンポーネントと、プロセッサ１４１１とのインターフェースを提供するインターフェース機能部を含むと理解されもする。
【０１１２】
図１６は、望ましい一実施形態による第２機器１３０の例の機能ブロック図である。図１６を参照すれば、第２機器１３０は、情報入出力インターフェース１６１０、通信インターフェース１６２０、プロセッサ１６３０及びメモリ１６４０を含むが、それらに限定されるものではない。特に、第２機器１３０は、図１６に図示された構成要素よりさらに多くの構成要素を含んだり、あるいはさらに少ない構成要素を含んだりしてもよい。情報入出力インターフェース１６１０は、情報入出力部または情報入出力モジュールとも言うことができる。通信インターフェース１６２０は、通信部または通信モジュールとも言うことができる。
【０１１３】
情報入出力インターフェース１６１０は、ユーザの入力を受信し、第２機器１３０から出力情報を出力させる。例えば、ユーザの入力は、前述のように、タッチ基盤入力、物理的なボタン制御基盤の入力、ユーザのジェスチャ基盤の入力、ユーザの音声認識基盤の入力、顔認識基盤の入力及び遠隔制御器（図示せず）基盤の入力のうち一つ以上を含んでもよいが、それらに限定されるものではない。
望ましい一実施形態により、情報入出力インターフェース１６１０は、通信インターフェース１６２０を介して、第２情報の受信を知らせるメッセージと、インタラクティブ・サービスに連動される伝送方式情報とを、図５の画面５２０または図６の画面６２０のポップアップ・ウィンドー５２１，６２１によって説明されたところと類似した形態で出力することができる。情報入出力インターフェース１６１０は、出力されるメッセージと情報とを基に、第１機器１１０から受信された第２情報に係わる受信を受諾するユーザの入力を受信することができる。情報入出力インターフェース１６１０は、通信インターフェース１６２０を介して、インタラクティブ・サービスと連動される伝送方式によって受信された情報を出力することができるが、それに限定されるものではない。
【０１１４】
特に、情報入出力インターフェース１６１０は、第２情報の受信を知らせるメッセージのみ出力することができる。情報入出力インターフェース１６１０は、出力されるメッセージに基づいて、第２情報に係わる受信を受諾するユーザの入力が受信されれば、情報入出力インターフェース１６１０は、第１機器１１０とのインタラクティブ・サービスに基づいて受信された第２情報を出力することができる。
情報入出力インターフェース１６１０は、ダイヤル、スライダ・スイッチ、ジョイスティック、クリックホイール、タッチパッド、タッチ・スクリーン、マイクロホン、スピーカ、センサ、コネクタ、表示灯、キーパッド、表示機器、スクロールホイール、無線通信に基づいた遠隔信号受信機、及び／または任意の適切な入力メカニズムのうち一つ以上を含んでもよいが、それらに限定されるものではない。
【０１１５】
通信インターフェース１６３０は、ネットワーク１５０を介して、第１機器１１０またはサーバ１４０と通信することができる。通信インターフェース１６３０は、第１機器１１０と、例えば、メッセンジャー・サービス、電子メールサービス、映像通話サービス及び音声通話サービスのうち一つ以上のインタラクティブ・サービスを遂行することができるが、それに限定されるものではない。
通信インターフェース１６３０は、受信された第１機器１１０で獲得された第１情報から、かつ／または第１情報に基づいて生成された第２情報がメタデータである場合、プロセッサ１６３０によって制御され、サーバ１４０にメタデータに基づいた原情報を要請して受信することができる。それにより、情報入出力インターフェース１６１０に、原情報を出力することができる。ネットワーク１５０を介して、第１機器１１０から受信される第２情報が、第１機器１１０と第２機器１３０とのインタラクティブ・サービスに連動される伝送方式で受信される場合、第２情報は、インタラクティブ・サービスに連動される伝送方式によるデータ・フォーマットを有することができる。受信される第２情報が、インタラクティブ・サービスによる通信方式を使用して受信される場合、第２情報は、インタラクティブ・サービスによるデータ・フォーマットを有することができる。
【０１１６】
プロセッサ１６３０は、メモリ１６４０に保存された望ましい一実施形態による情報伝送方法を遂行するための少なくとも１つのプログラムを実行する。特に、プロセッサ１６３０は、前記プログラムを実行し、第２機器１３０が第１機器１１０とインタラクティブ・サービスを行っている間、通信インターフェース１６２０を介して、第１機器１１０で獲得された情報を受信すれば、情報入出力インターフェース１６１０を介した前述のメッセージと情報との出力過程を制御することができる。また、プロセッサ１６３０は、情報入出力インターフェース１６１０を介して出力されるメッセージと情報とに基づいて受信される前述の第２情報に係わる受信受諾を示すユーザの入力を受信することができる。第２情報に係わる受信受諾を示すユーザの入力が受信されれば、プロセッサ１６３０は、情報入出力インターフェース１６１０を介して、インタラクティブ・サービスに連動される伝送方式で受信された情報が出力されるように制御することができる。
プロセッサ１６３０は、第１機器１１０と第２機器１３０とのインタラクティブ・サービスを終了した後、第１機器１１０によって獲得された第１情報から、かつ／または第１情報に基づいて生成された第２情報を、インタラクティブ・サービスに連動される伝送方式で受信して出力することができる。
【０１１７】
メモリ１６４０は、前述の少なくとも１つのプログラム、及び第１機器１１０とのインタラクティブ・サービスのための少なくとも１つの通信アプリケーションを保存するが、それに限定されるものではない。メモリ１６４０は、フラッシュメモリ・タイプ、ハードディスク・タイプ、マルチメディアカードマイクロ・タイプ、カードタイプのメモリ（例えば、ＳＤメモリ、ＸＤメモリなど）、ＲＯＭ、ＥＥＰＲＯＭ、ＰＲＯＭ、磁気メモリ、光ディスクのうち少なくとも１つのタイプの記録媒体を含んでもよい。
【０１１８】
望ましい実施形態による情報伝送方法をコンピュータで具現する方法を遂行させる命令語を含む一つ以上のプログラムは、コンピュータで読み取り可能な記録媒体に、コンピュータで読み取り可能なコードとして記録されることによって実現可能である。コンピュータで読み取り可能な記録媒体は、コンピュータ・システムによって読み取り可能なデータが保存される全ての種類の保存装置を含む。コンピュータで読み取り可能な記録媒体の例としては、ＲＯＭ、ＲＡＭ、ＣＤ（compact disc）−ＲＯＭ、磁気テープ、フロッピー（登録商標）ディスク、光データ保存装置、及び／または任意の他の適切な媒体がある。また、コンピュータで読み取り可能な記録媒体は、ネットワークに接続されたコンピュータ・システムに分散され、分散方式でコンピュータで読み取り可能なコードとして保存されて実行される。
【０１１９】
以上、本発明について、その望ましい実施形態を中心に説明した。本発明が属する技術分野の当業者であるならば、本発明が、本発明の本質的な特性から逸脱しない範囲で変形された形態で具現されるということを理解することができる。したがって、開示された実施形態は、限定的な観点ではなく、説明的な観点から考慮されなければならない。本発明の範囲は、前述の説明ではなく、特許請求の範囲に示されており、それと同等な範囲内にいる全ての差異は、本発明に含まれたものであると解釈されなければならない。
【産業上の利用可能性】
【０１２０】
本発明の情報伝送方法及びシステム並びにその機器は、例えば、インタラクティブ・サービス関連の技術分野に効果的に適用可能である。
【符号の説明】
【０１２１】
１００  情報伝送システム
１１０  第１機器
１２０  客体
１３０  第２機器
１４０  サーバ
１５０  ネットワーク
１３１０  情報入出力インターフェース
１３２０，１４０９  情報獲得器
１３３０，１６２０  通信インターフェース
１３４０，１４１１，１６３０  プロセッサ
１３５０，１６４０  メモリ
１４０１，１６１０  ユーザ入力インターフェース
１４０２  センサ
１４０３  タッチ・スクリーン
１４０４  カメラ
１４０５  オーディオ入力インターフェース
１４０６  オーディオ出力インターフェース
１４０７  保存器
１４０８  通信インターフェース
１４１０  ポート
１４１２  電源供給部
１５０１  オペレーティング・モジュール
１５０２  第１通信モジュール
１５０３  第２通信モジュール
１５０４  グラフィック・モジュール
１５０５  ＧＰＳモジュール
１５０６  ＵＩモジュール
１５０７  センシング・モジュール
１５０８  コンタクト＆モーション・モジュール
１５０９  電源モジュール
１５１０  アプリケーション・モジュール
１５１１  コンテンツ再生モジュール
１５１２  情報伝送モジュール
１５１３  外部機器制御モジュール
１５１４  映像通話モジュール
１５１５  音声通話モジュール
１５１６  メッセンジャー・モジュール
１５１７  ＳＭＳモジュール
１５１８  ＭＭＳモジュール
１５１９  フォトブックモジュール
１５２０  コンテンツ共有モジュール
【図１】
2014059873.tif 000003
【図２Ａ】
2014059873.tif 000004
【図２Ｂ】
2014059873.tif 000005
【図３】
2014059873.tif 000006
【図４】
2014059873.tif 000007
【図５】
2014059873.tif 000008
【図６】
2014059873.tif 000009
【図７】
2014059873.tif 000010
【図８】
2014059873.tif 000011
【図９】
2014059873.tif 000012
【図１０】
2014059873.tif 000013
【図１１Ａ】
2014059873.tif 000014
【図１１Ｂ】
2014059873.tif 000015
【図１２】
2014059873.tif 000016
【図１３】
2014059873.tif 000017
【図１４】
2014059873.tif 000018
【図１５】
2014059873.tif 000019
【図１６】
2014059873.tif 000020